【手続補正書】
【提出日】平成20年4月16日(2008.4.16)
【手続補正１】
【補正対象書類名】特許請求の範囲
【補正対象項目名】全文
【補正方法】変更
【補正の内容】
【特許請求の範囲】
【請求項１】
メタデータ管理を容易にするシステムにおいて、
プロパティ項目へのアクセスを容易にするプロパティコンポーネントと、
前記プロパティ項目を提示する閲覧コンポーネントと、
前記プロパティコンポーネントと前記閲覧コンポーネントの間のコミュニケーションを同期させる同期コンポーネントと
を備えたことを特徴とするメタデータ管理を容易にするシステム。
【請求項２】
前記コミュニケーションが、前記プロパティコンポーネント内の変更が前記閲覧コンポーネントによって実質的に即時に提示されるようなユーザインタラクションを含むことを特徴とする請求項１に記載のシステム。
【請求項３】
問合せ指向のファイルシステムに関連づけられたことを特徴とする請求項１に記載のシステム。
【請求項４】
前記閲覧コンポーネントが、前記プロパティ項目を、該プロパティ項目によるグルーピングとして提示することを特徴とする請求項１に記載のシステム。
【請求項５】
前記プロパティ項目へのアクセスが読み出し専用であることを特徴とする請求項１に記載のシステム。
【請求項６】
前記プロパティ項目が、ユーザのタイプに応じて前記プロパティコンポーネントによって提示されることを特徴とする請求項１に記載のシステム。
【請求項７】
前記コミュニケーションが、前記閲覧コンポーネント内の変更が前記プロパティコンポーネントによって実質的に即時に処理されるようなユーザインタラクションであることを特徴とする請求項１に記載のシステム。
【請求項８】
請求項１に記載のシステムを実施するためのコンピュータ実行可能命令を格納したことを特徴とするコンピュータ可読記憶媒体。
【請求項９】
請求項１に記載のシステムを使用することを特徴とするコンピュータ。
【請求項１０】
請求項１に記載のシステムを使用することを特徴とするサーバ。
【請求項１１】
ユーザが自動実行されることを望むアクションを予測または推論するために確率および／または統計に基づく分析を使用する人工知能（ＡＩ）コンポーネントをさらに備えたことを特徴とする請求項１に記載のシステム。
【請求項１２】
前記プロパティコンポーネントが、同一の名前およびユーザにより割り当てられたプロパティを有する複数のファイルの作成を容易にすることを特徴とする請求項１に記載のシステム。
【請求項１３】
前記プロパティコンポーネントが、グローバル一意識別子（ＧＵＩＤ）および不変プロパティに関連づけられたファイルの作成を容易にすることを特徴とする請求項１に記載のシステム。
【請求項１４】
前記プロパティコンポーネントが、文書に１つまたは複数の前記プロパティ項目を割り当てること、および該１つまたは複数のプロパティに基づいて該文書を検索することを容易にすることを特徴とする請求項１に記載のシステム。
【請求項１５】
前記プロパティコンポーネントが、同一の名前および異なるバージョンを有する複数のファイルの作成を容易にすることを特徴とする請求項１に記載のシステム。
【請求項１６】
前記閲覧コンポーネントが、１つまたは複数の前記プロパティ項目によってクラスタ化されたファイルの閲覧を容易にするブラウザであることを特徴とする請求項１に記載のシステム。
【請求項１７】
メタデータ管理を容易にするシステムにおいて、
プロパティ項目へのユーザによるアクセスを容易にするプロパティコンポーネントと、
前記プロパティ項目に関連づけられたオブジェクトのビューを提供するブラウジングコンポーネントと、
前記プロパティコンポーネント経由での前記プロパティ項目へのアクセスが前記ブラウジングコンポーネントのビューを実質的に即時に変更するように処理され、前記ブラウジングコンポーネント経由での前記オブジェクトの１つのブラウジングにより前記プロパティコンポーネントが該ブラウジングされているオブジェクトに関連づけられている１つまたは複数のプロパティ項目を実質的に即時に提示するように、前記プロパティコンポーネントと前記ブラウジングコンポーネントの間でユーザ操作を同期させる同期コンポーネントと
を備えたことを特徴とするメタデータ管理を容易にするシステム。
【請求項１８】
問合せ指向のファイルシステムに関連づけられたことを特徴とする請求項１７に記載のシステム。
【請求項１９】
前記プロパティ項目へのアクセスが、プロパティペイン経由で、該プロパティペインおよび前記ビューがユーザインタフェースの１つのウィンドウ内に提示されるように行われることを特徴とする請求項１７に記載のシステム。
【請求項２０】
前記プロパティ項目へのアクセスが、前記ビューに、該プロパティ項目に関連づけられたすべてのオブジェクトを提示させることを特徴とする請求項１７に記載のシステム。
【請求項２１】
異なるプロパティ項目へのアクセスが、前記ブラウジングコンポーネントに、該異なるプロパティ項目に関連づけられたオブジェクトの異なるビューを自動的に提示させることを特徴とする請求項１７に記載のシステム。
【請求項２２】
前記ビューは、各クラスタが異なるプロパティ項目に関連づけられるように、クラスタ化されたオブジェクトのクラスタ化されたビューを含むことを特徴とする請求項１７に記載のシステム。
【請求項２３】
前記ビューはクラスタ化されたビューを含み、変更可能プロパティに基づく該クラスタ化されたビューの表示が、前記プロパティコンポーネント内の対応するプロパティ編集フィールドを自動的に視覚的にアクティブにすることを特徴とする請求項１７に記載のシステム。
【請求項２４】
問合せベースのファイルシステムにおけるメタデータを管理する方法を実行するためのコンピュータ実行可能命令を有するコンピュータ可読記憶媒体において、該方法が、
プロパティペイン経由で、オブジェクトメタデータに関連づけられた、ファイルシステムオブジェクトのプロパティにアクセスし、
前記プロパティに関連づけられた他のオブジェクトのビューウィンドウを提示し、
前記ビューウィンドウ内でのブラウジング操作に従って前記プロパティペインを実質的に即時に更新し、前記プロパティペイン内で実行されるプロパティ操作に従って前記ビューウィンドウを実質的に即時に更新する
ことを特徴とするコンピュータ可読記憶媒体。
【請求項２５】
提示のために選択される前記他のオブジェクトが、前記プロパティと、該他のオブジェクトに共通の少なくとも１つの他のプロパティとを含むことを特徴とする請求項２４に記載のコンピュータ可読記憶媒体。
【請求項２６】
前記方法が、
前記ビューウィンドウ内にプロパティクラスタのツリーを提示し、
前記プロパティクラスタの１つをブラウジングし、
前記ブラウジングされたプロパティクラスタに関連づけられたプロパティを前記プロパティペイン内に自動的に表示する
行為をさらに含むことを特徴とする請求項２４に記載のコンピュータ可読記憶媒体。
【請求項２７】
前記方法が、
前記ビューウィンドウ内にプロパティクラスタのツリーを提示し、
２個以上の前記プロパティクラスタをブラウジングし、
前記２個以上のブラウジングされたプロパティクラスタに関連づけられたプロパティを前記プロパティペイン内に自動的に表示する
行為をさらに含むことを特徴とする請求項２４に記載のコンピュータ可読記憶媒体。
【請求項２８】
前記方法が、前記プロパティに従って前記ビューウィンドウ内に提示されたオブジェクトのスコープをピン留めする行為をさらに含むことを特徴とする請求項２４に記載の方法。
【請求項２９】
前記ピン留めする行為が、１つまたは複数のプロパティの同じ値を共有するストレージお気に入りのグループのみに適用されることを特徴とする請求項２８に記載のコンピュータ可読記憶媒体。
【請求項３０】
前記方法が、
前記ストレージお気に入りのビューウィンドウへの切替を行い、
それに応答して、前記切替の行為によって影響を受ける複数のプロパティを前記プロパティペイン内で視覚的にアクティブにする
行為をさらに含むことを特徴とする請求項２９に記載のコンピュータ可読記憶媒体。
【請求項３１】
問合せベースのファイルシステムにおけるメタデータを管理する方法において、
プロパティペイン内に、オブジェクトメタデータに関連づけられた、オブジェクトの１つまたは複数のプロパティを提示し、
前記１つまたは複数のプロパティに関連づけられた他のオブジェクトの閲覧を容易にするビューウィンドウを前記プロパティペインとともに提示し、
前記ビューウィンドウ内でのブラウジング操作に従って前記プロパティペインを実質的に即時に更新し、前記プロパティペイン内で実行されるプロパティ操作に従って前記ビューウィンドウを実質的に即時に更新する
ことを特徴とするメタデータを管理する方法。
【請求項３２】
前記ビューウィンドウ内にプロパティクラスタのツリーを提示し、
前記プロパティクラスタの１つをブラウジングし、
前記ブラウジングされたプロパティクラスタに関連づけられた前記１つまたは複数のプロパティを前記プロパティペインに自動的に表示する
行為をさらに含むことを特徴とする請求項３１に記載の方法。
【請求項３３】
前記ビューウィンドウ内にクラスタ化されたビューを表示し、
該表示する行為が変更可能プロパティに基づく場合に前記プロパティペイン内での前記１つまたは複数のプロパティの編集を容易にする
行為をさらに含むことを特徴とする請求項３１に記載の方法。
【請求項３４】
前記ビューウィンドウにクラスタ化されたビューを表示し、
該表示する行為が不変プロパティに基づく場合に前記プロパティペイン内での前記１つまたは複数のプロパティの編集を禁止する
ことをさらに含むことを特徴とする請求項３１に記載の方法。
【請求項３５】
前記１つまたは複数のプロパティの値をロックすることをさらに含むことを特徴とする請求項３１に記載の方法。
【請求項３６】
前記１つまたは複数のプロパティの値をロックせずに問合せをピン留めすることをさらに含むことを特徴とする請求項３１に記載の方法。
【手続補正２】
【補正対象書類名】明細書
【補正対象項目名】００７５
【補正方法】変更
【補正の内容】
【００７５】
Ｗｉ−Ｆｉ（Wireless Fidelity）は、家庭の寝椅子、ホテルの部屋のベッド、あるいは勤務時の会議室から、配線なしでインターネットへの接続を可能にする。Ｗｉ−Ｆｉは、携帯電話によって使用されるのと同様の無線技術であって、例えばコンピュータのようなデバイスが、基地局の電波到達範囲内のどこでも、屋内および屋外でデータを送受信することを可能にする。Ｗｉ−Ｆｉネットワークは、ＩＥＥＥ８０２．１１（ａ、ｂ、ｇ等）と呼ばれる無線技術を用いて、安全で、信頼性のある、高速な無線接続を提供する。Ｗｉ−Ｆｉネットワークは、コンピュータを相互に、インターネットに、および有線ネットワークに（これはＩＥＥＥ８０２．３すなわちＥｔｈｅｒｎｅｔ（登録商標）を使用する）接続するために使用可能である。Ｗｉ−Ｆｉネットワークは、無認可の２．４ＧＨｚおよび５ＧＨｚ電波帯において、５４Ｍｂｐｓ（８０２．１１ａ）または１１Ｍｂｐｓ（８０２．１１ｂ）のデータレートで、あるいは両方の帯域を含む製品（デュアルバンド）で動作するので、このネットワークは、多くのオフィスで用いられる基本的な１０ＢａｓｅＴ有線Ｅｔｈｅｒｎｅｔ（登録商標）ネットワークと同様の実際的パフォーマンスを提供することができる。